(57)【要約】   【課題】  カラオケのリモコンとして動作する顧客の多機能携帯端末とカラオケ装置との間のペアリングを、顧客の入店から退出までの間の利用単位（セッション単位）のみで利用できるネットワークシステムを提供する。   【解決手段】  リモコン信号受信手段で受信したセッションＩＤを含むリモコン識別情報に基づき、特定された前記多機能携帯端末と前記カラオケ装置との接続許可を確立し、許可確立時の前記セッションＩＤが有効な間、接続許可を維持するネットワークカラオケシステム。【選択図】  図１
2014077928.tif 000002
【特許請求の範囲】
【請求項１】
複数のカラオケ装置がネットワークで接続されてなり、さらに前記ネットワークを経由して、個々の前記カラオケ装置とカラオケ装置を操作する任意数のリモコン端末装置とを接続し、利用単位を特定するセッションで対応付けるネットワークカラオケシステムであって、
個々の前記カラオケ装置の利用単位を特定するセッションＩＤを更新・発行する切替指示受付手段、
当該カラオケ装置を特定するためのカラオケ装置ＩＤと当該カラオケ装置におけるその時点で有効なセッションＩＤを含むカラオケ識別情報をリモコン端末装置に伝える伝達手段、
前記リモコン端末装置から、前記識別情報に基づき、指定する前記カラオケ装置に向けて送信される前記カラオケ識別情報と当該リモコンＩＤとを含むリモコン識別情報を受信するリモコン信号受信手段、
当該リモコン信号受信手段によって受信したリモコン識別情報に基づいて、当該カラオケ装置と前記リモコン端末装置の対応付を制御する制御手段とを有し、
前記制御手段は、前記リモコン信号受信手段で受信した前記リモコン識別情報に基づき、特定された前記リモコン端末装置と前記カラオケ装置との接続許可を確立し、許可確立時のセッションＩＤが有効な間、接続許可を維持することを特徴とするネットワークカラオケシステム。
【請求項２】
前記切替指示受付手段は、個々の前記カラオケ装置に設けられたリセット手段により、既に発行された利用単位のセンションＩＤを無効にし、新たなセッションＩＤを発行するようにしたことを特徴とする前記請求項１記載のネットワークカラオケシステム。
【請求項３】
前記切替指示受付手段は、複数の前記カラオケ装置とネットワークで接続された受付端末装置から利用を予定する前記カラオケ装置に発せられる情報を受け、前記リセット手段を駆動させることを特徴とする前記請求項２記載のネットワークカラオケシステム。
【請求項４】
前記伝達手段は、前記カラオケ装置から接続された表示装置に機械読み取り用のコード情報が出力されるようにしたことを特徴とする前記請求項１乃至３記載のネットワークカラオケシステム。
【請求項５】
前記伝達手段は、利用を予定する前記カラオケ装置とネットワークで接続された前記受付端末装置の表示装置に機械読み取り用のコード情報が出力されるようにしたことを特徴とする前記請求項１乃至３記載のネットワークカラオケシステム。
【発明の詳細な説明】
【技術分野】
【０００１】
カラオケのリモコンとして動作する顧客の多機能携帯端末とカラオケ装置との間のペアリングを、顧客の入店から退出までの間の利用単位（セッション単位）のみで利用できるネットワークシステムの技術に関する。
【背景技術】
【０００２】
最近のカラオケシステムは、高機能化が著しく、便利になって来ている反面、操作が複雑になってきており、これに伴いリモコンも高機能化してきている。
特にカラオケルームに設置してある専用のリモコンは、ボタン類が多く使い方がよくわからないなどの問題があった。そのため、使い慣れていないとボタン操作に時間がかかって歌う時間が少なくなってしまうことも多かった。
【０００３】
また、通常カラオケ室には、リモコンが少数しかないのが一般的であり、他の人が選曲している間は、リモコンが使用できないという不便さがあった。
【０００４】
また、店に設置してあるリモコンは様々な人が操作するため、必ずしも清潔とはいえないという一面もあった。
【０００５】
一方で、誰もが携帯電話を持つ時代となり、さらにスマートホン等の普及により、これら携帯電話に各種ソフトウエアを入れて楽しむ人も増えている。スマートホンのソフトウエア開発環境も充実してきており、開発者も増えてきている。
【０００６】
そこで、使い慣れた自分の多機能携帯端末等を使ってカラオケの操作を行いたいという要望が生じてきた。またカラオケの専用リモコンは業務用のため高価なものであり、カラオケ店としても、専用リモコンを設置する必要がなくなれば経費の節約になり、またリモコンの盗難防止、保守といった管理作業もなくなるため店にも喜ばれる。
【０００７】
そこで、顧客の多機能携帯端末等をカラオケのリモコンとして使用する提案が各社から行われている。（特許文献１乃至３参照）
【０００８】
しかし、ここで顧客が所有する携帯端末を近距離無線方式によりカラオケのリモコンとして使用させた場合、他の部屋のカラオケ機器を制御してしまわないように、顧客の携帯電話が制御できるカラオケ機器を特定しておく必要がある。
また、たとえばその顧客の使用時間終了後などに店外から携帯電話を操作することにより、店内のカラオケ装置を制御されてしまう恐れがある。（図３参照）
【先行技術文献】
【特許文献】
【０００９】
【特許文献１】特開２０１２−０５３４０９号公報
【特許文献２】特許３９０４９８９号公報
【特許文献３】特開２０１２−４７７７３号公報
【非特許文献】
【００１０】
【非特許文献１】iPhone アプリ「デンモクLite」（第一興商）カスタマーレビュー(iTunes →iTunes Store →App Store →エンターテインメント)
【発明の概要】
【発明が解決しようとする課題】
【００１１】
特許文献１は、携帯電話をカラオケのリモコンとして使用する例である。携帯情報端末の通信範囲内に複数のカラオケ装置があった場合でも特定の1台と接続できる技術である。しかし利用時間終了後の接続や切断処理については記述がない。
【００１２】
さらに特許文献２では、短距離無線通信手段を使用した携帯電話をリモコンとして使う方法であるが、主に選曲操作について述べられており、カラオケ利用終了後店外からの悪意のある制御への対策には言及していない。実施する際には何らかの対処が必要になると思われるが特許公報に記載はない。
【００１３】
特許文献３は、リモコンとカラオケ装置に関してペアリングを行っているが、これはカラオケの開局処理で行うもので、顧客の入店毎にペアリングを行う本発明とは課題は異なっている。
【００１４】
非特許文献１は、Apple社のApp Storeに登録されているiPhoneアプリ「デンモクLite」のカスタマーレビューである。これによるとiPhone用のアプリ「デンモクLite」により、iPhoneをカラオケのリモコンとして利用できる。しかし、このカスタマーレビューによると、接続後15分経過するとタイムアウトで切断されることが不評である。接続の解除を15分というタイミングで行っているものと思われる。
【００１５】
本発明は、これらの点に鑑み、カラオケのリモコンとして動作する顧客の多機能携帯端末等とカラオケ装置との間のペアリングを、顧客の入室から退室までの間の利用単位（セッション単位）で利用できるネットワークシステムを提供することを目的とする。
【課題を解決するための手段】
【００１６】
上記目的を達成するため本発明の請求項1は、顧客のカラオケ利用単位として「セッション」を定義し、カラオケ利用開始時にセッションＩＤを通知し、終了時にこれを無効化する手段を設ける。顧客のカラオケ利用開始時にセッションＩＤを含むカラオケ識別情報を顧客の多機能携帯端末等に伝達し、その多機能携帯端末等とカラオケ室にあるカラオケ装置とペアリングを行うことにより、顧客の多機能携帯端末等がセッション終了までの間、その特定のカラオケ装置のみと通信できるリモコン装置となる。顧客がカラオケ室利用終了時にはセッションＩＤを無効化することにより、リモコン装置としての機能は終了し、それ以後はカラオケ装置の制御ができなくなるというものである。
【００１７】
請求項２は、請求項１において、セッションを無効化する手段を各カラオケ装置に持たせるものである。これにより店員が顧客の帰った後、後片付けをする際にカラオケ装置のリセット操作をすることにより、セッションＩＤを無効化し、顧客の多機能携帯端末等とカラオケ装置とのペアリングを解除することができる。
【００１８】
請求項３は、請求項１において、セッションを無効化する手段を受付に設置された受付端末に持たせるものである。これにより顧客が帰るとき受付での支払い手続きの際に、受付端末のリセット操作をすることにより、セッションＩＤを無効化し、顧客の多機能携帯端末等とカラオケ装置のペアリングを解除することができる。
【００１９】
請求項４は、請求項１においてセッションＩＤを含むカラオケ識別情報を機械読み取りコード（ＱＲコード（登録商標）等）として、使用するカラオケ装置に接続された表示装置に表示するものである。
顧客は入店時に、たとえばカラオケ装置に接続された表示装置に表示されたＱＲコード（登録商標）を自分の多機能携帯端末のカメラで撮影することによりカラオケ識別情報を受け取るようにできるものである。
【００２０】
請求項５は、請求項１においてセッションＩＤを含むカラオケ識別情報を機械読み取りコード（ＱＲコード（登録商標）等）として、受付に設置された表示装置に表示するものである。
顧客は入室時に、たとえば受付に設置された端末装置に表示されたＱＲコード（登録商標）を自分の多機能携帯端末のカメラで撮影することによりカラオケ識別情報を受け取るようにできるものである。
【００２１】
いずれの場合も、顧客のカラオケ利用終了後は、切替指示受付手段によりペアリングを解除して、顧客の多機能携帯端末等から店のカラオケ装置を制御することを不可能にできる。
【発明の効果】
【００２２】
本発明によると、顧客がカラオケ店入店時に、自分の多機能携帯端末等を特定のカラオケ装置のリモコン装置として使えるようになり、入店から退出まで一貫して利用できる。その後カラオケ利用終了時には、リモコン装置としての機能は終了し、それ以後は顧客の多機能携帯端末等からはカラオケ装置の制御ができなくなるというものである。
【図面の簡単な説明】
【００２３】
【図１】本発明の一実施例を示すネットワーク接続を示す説明図。
【図２】本発明の一実施例を示す運用フローを示す説明図。
【図３】短距離無線通信手段によるネットワークを説明する概念説明図。
【発明を実施するための形態】
【００２４】
本発明では、本カラオケ装置１のリモコンとなる多機能携帯端末４による制御を利用単位で許可するためのセッションＩＤを更新・発行する切替受付手段が設けられている。
この切替受付手段は、カラオケ装置１本体の前面にリセットボタン３として設けられ、このリセットボタン３を押すごとに、使用していたセッションＩＤが無効になり新たなセッションＩＤが発行されるようになっている。
【００２５】
次に図１のネットワーク接続図によって、本発明の多機能携帯端末４とカラオケ装置１の接続技術を説明する。
店舗内にはセンターからの通信回線と接続するルータ５があり、ルータ５にはアクセスポイント８を経由して無線の受付端末装置２と、カラオケ室のカラオケ装置１が接続されている。またリモコンとなる多機能携帯端末４がアクセスポイント９を経由してルータ５に接続されている。
顧客はカラオケ利用開始時に、セッションＩＤを含むカラオケ識別情報を受け取り自ら保有する多機能携帯電話４に読み込ませる。その上で顧客は、自分の多機能携帯端末４と当該カラオケ装置１との間でペアリングを行い、当該多機能携帯端末４は当該カラオケ装置専用のリモコン装置となり、当該カラオケ装置１を制御できるようになる。
カラオケの利用が終了したときには、店員はカラオケ室のカラオケ端末１または受付端末装置２を操作することにより、顧客の多機能携帯端末４とカラオケ装置１とのペアリングは解消され、もはや顧客の多機能携帯端末４では、店のカラオケ装置１を制御できなくなる。
【００２６】
次に図２で、運用フローを示す説明図に基づいて本発明のネットワークカラオケシステムにおけるカラオケ装置１の利用状態を説明する。
（１）カラオケ店開店時、カラオケ装置の電源が投入される。
（２）セッションＩＤが生成され、顧客の入店を待つ初期状態となる。
（３）顧客によるカラオケ装置１の利用が開始される際に、顧客が使用する「セッションＩＤ」［カラオケ識別情報］が通知される。これはたとえばカラオケ装置に接続された表示装置６にＱＲコード（登録商標）のような形で表示される。
（４）顧客は自分の多機能携帯端末４のカメラ機能などでＱＲコード（登録商標）等を撮影し使用するカラオケ装置１の情報を受け取る。
（５）顧客は自分の多機能携帯端末４を操作することにより、多機能携帯端末４とカラオケ装置１とのペアリングを実施し、カラオケ装置１と顧客の多機能携帯端末４が紐付く。
（６）ペアリングの完了により、顧客の多機能携帯端末４を一時的に割り当てられたカラオケ装置１の専用リモコンとすることができ、カラオケ装置１の利用が可能となる。
（７）顧客のカラオケ装置１の利用が終了し、退室する。
（８）閉店の場合はここでカラオケ装置１の電源をオフにする。
（９）閉店でない場合はカラオケ装置１のリセットボタン３を押してリセット操作を行う。
（１０）リセット操作によりセッションが終了（セッションＩＤは無効にされる）し、同時に顧客の多機能携帯端末４とカラオケ装置１とのペアリングは解除され、これ以降は顧客の多機能携帯端末４ではカラオケ装置１の操作は不可能となり、また、新たなセッションＩＤが生成され、次の顧客入室を待機する初期状態となる。
【００２７】
尚、上述の実施例において、切替受付手段は、カラオケ装置１本体の前面にリセットボタン３としてのスイッチが設けられ、このリセットボタン３を押す毎に、更新・発行するようにしていたが、顧客が受付から退場する際、顧客が使用していたカラオケ装置１に受付端末装置２からネットワークを経由して前記切替受付手段を駆動させるようにしても良い。
【００２８】
また、セッションＩＤを含むカラオケ識別情報の伝達手段は、利用を予定するカラオケ装置１に接続された表示装置６に機械読み取り用のコード情報を出力する以外に、ネットワークを経由して受付端末装置２に表示してもよく、これにより顧客が多機能携帯端末４にあらかじめ設けられている公知のバーコード読み取り装置で読み取れるようにしても良い。
【産業上の利用可能性】
【００２９】
カラオケの利用に際して、特定のカラオケ装置１の利用単位毎に個別のセッションＩＤが発行され、ペアリングを制御するので、確実に機器の制御が行え、誤って、あるいは故意に接続するべきカラオケ装置１以外のカラオケ装置１を制御することがなく、また対象のカラオケ装置１であっても正規の利用単位が終了した後には制御することができずセキュリティも確実に保たれる。
【符号の説明】
【００３０】
１…カラオケ装置
２…受付端末装置
３…リセットボタン
４…多機能携帯端末
５…ルータ
６…表示装置
７…ハブ
８…アクセスポイント
９…アクセスポイント
１１…店舗
１２…カラオケ室
【図１】
2014077928.tif 000003
【図２】
2014077928.tif 000004
【図３】
2014077928.tif 000005